(57)【要約】      （修正有）【課題】ユーザによって使用されていない機器上で発生したイベントをユーザに通知することが可能な電子機器及びイベント通知方法を提供する。【解決手段】電子機器は、第１機器とは異なる第２機器から、第２機器上でイベントが発生したときに第２機器が発信するイベント情報を受信する受信手段と、イベント情報が受信された場合、イベント情報に基づいて電子機器の動作を制御する制御手段とを具備する。【選択図】図２
2020017066.tif 000002
【特許請求の範囲】
【請求項１】
第１機器を操作するために使用される電子機器において、
前記第１機器とは異なる第２機器から、前記第２機器上でイベントが発生したときに前記第２機器が発信するイベント情報を受信する受信手段と、
前記イベント情報が受信された場合、前記イベント情報に基づいて前記電子機器の動作を制御する制御手段と
を具備する電子機器。
【請求項２】
前記制御手段は、前記イベントが発生したことの通知と、前記イベント情報が指示する所定の情報の通知との、少なくとも１つの通知を行う通知手段を含む
請求項１記載の電子機器。
【請求項３】
ディスプレイを更に具備し、
前記制御手段は、前記少なくとも１つの通知を前記ディスプレイに表示する
請求項２記載の電子機器。
【請求項４】
前記第１機器を操作する際にユーザによって把持される筐体を更に具備し、
前記ディスプレイは、前記筐体の側面に配置される
請求項３記載の電子機器。
【請求項５】
前記第１機器を操作する際にユーザによって把持される筐体と、
前記筐体が把持された状態で前記ユーザによって操作可能な操作部と
を更に具備し、
前記ディスプレイは、前記筐体の前記操作部の近傍に配置される
請求項３記載の電子機器。
【請求項６】
第１及び第２ディスプレイを更に具備し、
前記制御手段は、前記受信されたイベント情報に基づいて異なる内容を前記第１及び第２ディスプレイに表示する
請求項１または請求項２に記載の電子機器。
【請求項７】
振動を発生するバイブレータ手段を更に具備し、
前記制御手段は、前記イベント情報が受信された場合、前記バイブレータ手段による振動を発生させる
請求項１または請求項２に記載の電子機器。
【請求項８】
ディスプレイを更に具備し、
前記制御手段は、前記イベント情報に基づいてユーザに通知すべき内容がある場合、前記ディスプレイに前記内容を表示する
請求項７記載の電子機器。
【請求項９】
前記制御手段によって制御される前記電子機器の動作は、前記イベントの種別に応じて異なる
請求項１または請求項２に記載の電子機器。
【請求項１０】
タッチセンサを有するタッチパネルディスプレイを更に具備し、
前記タッチセンサによってタッチ検出がされた場合、前記イベントに関する処理の実行を前記第２機器に対して指示する
請求項１または請求項２に記載の電子機器。
【請求項１１】
前記処理を含む予め定められた複数の処理のうち、前記タッチセンサによって検出された操作に応じて選択された処理の実行を前記第２機器に対して指示する
請求項１０記載の電子機器。
【請求項１２】
前記タッチセンサによって第１操作が検出された場合には前記第１操作に応じた第１処理の実行を指示し、前記タッチセンサによって第２操作が検出された場合には前記第２操作に応じた第２処理の実行を指示する
請求項１０記載の電子機器。
【請求項１３】
前記電子機器は、マウスである
請求項１から請求項１２の何れか１項に記載の電子機器。
【請求項１４】
第１機器を操作するために使用される電子機器が実行するイベント通知方法であって、
前記第１機器とは異なる第２機器から、前記第２機器上で発生した第１イベントを示すイベント情報を受信するステップと、
前記イベント情報が受信された場合、前記イベント情報によって示される第２イベントをユーザに通知するために前記電子機器の動作を制御するステップと、
を具備するイベント通知方法。
【請求項１５】
前記電子機器は、ディスプレイを更に具備し、
前記制御するステップは、前記受信されたイベント情報を前記ディスプレイに表示するステップを含む
請求項１４記載のイベント通知方法。
【請求項１６】
前記電子機器は、第１及び第２ディスプレイを備え、
前記制御するステップは、前記第２イベントに応じて異なる内容を前記第１及び第２ディスプレイに表示するステップを含む
請求項１４記載のイベント通知方法。
【請求項１７】
前記電子機器は、振動を発生するバイブレータ手段を備え、
前記制御するステップは、前記イベント情報が受信された場合、前記バイブレータ手段による振動を発生させるステップを含む
請求項１４記載のイベント通知方法。
【請求項１８】
前記電子機器の動作は、前記第１イベントの種別に応じて異なる
請求項１４記載のイベント通知方法。
【請求項１９】
前記電子機器は、タッチセンサを有するタッチパネルディスプレイを備え、
前記タッチセンサによってタッチ検出がされた場合、前記第１イベントに関する処理の実行を前記第２機器に対して指示する第２機器制御ステップを具備する
請求項１４記載のイベント通知方法。
【請求項２０】
前記第２機器制御ステップは、前記タッチセンサによって第１操作が検出された場合には前記第１操作に応じた第１処理の実行を指示し、前記タッチセンサによって第２操作が検出された場合には前記第２操作に応じた第２処理の実行を指示するステップを含む
請求項１９記載のイベント通知方法。
【発明の詳細な説明】
【技術分野】
【０００１】
本発明の実施形態は、電子機器及びイベント通知方法に関する。
【背景技術】
【０００２】
近年では、ユーザが例えばパーソナルコンピュータ（ＰＣ）及びスマートフォン等の複数の電子機器を状況に応じて使い分けることが一般的である。
【０００３】
ここで、ユーザがパーソナルコンピュータを使用しており、スマートフォンを使用していない場合を想定する。このような場合、ユーザは、パーソナルコンピュータを使用しているため、スマートフォンを常に確認することはできない。このため、ユーザは、スマートフォン上で特定のイベント（例えば、メールの受信または電話の着信等）が発生した場合であっても当該イベントの発生に気がつかない場合が多い。
【先行技術文献】
【特許文献】
【０００４】
【特許文献１】特開２００３−３２３２５７号公報
【特許文献２】特表２０１２−５１４８１７号公報
【発明の概要】
【発明が解決しようとする課題】
【０００５】
そこで、本発明が解決しようとする課題は、ユーザによって使用されていない機器上で発生したイベントをユーザに通知することが可能な電子機器及びイベント通知方法を提供することにある。
【課題を解決するための手段】
【０００６】
実施形態によれば、第１機器を操作するために使用される電子機器が提供される。前記電子機器は、前記第１機器とは異なる第２機器から、前記第２機器上でイベントが発生したときに前記第２機器が発信するイベント情報を受信する受信手段と、前記イベント情報が受信された場合、前記イベント情報に基づいて前記電子機器の動作を制御する制御手段とを具備する。前記制御手段は、前記イベントが発生したことの通知と、前記イベント情報が指示する所定の情報の通知との、少なくとも1つの通知を行う通知手段を含んでもよい。
【図面の簡単な説明】
【０００７】
【図１】第１実施形態に係る電子機器の使用態様の一例を表す図。
【図２】電子機器の構成の一例を示すブロック図。
【図３】ディスプレイが配置される位置の一例を示す図。
【図４】ディスプレイが配置される位置の他の例を示す図。
【図５】電子機器の処理手順の一例を示すフローチャート。
【図６】第２実施形態に係る電子機器の構成の一例を示すブロック図。
【図７】電子機器の処理手順の一例を示すフローチャート。
【図８】タッチパネルディスプレイが配置される位置の一例を示す図。
【発明を実施するための形態】
【０００８】
以下、図面を参照して、各実施形態について説明する。  
なお、開示はあくまで一例に過ぎず、当業者において、発明の趣旨を保っての適宜変更について容易に想到し得るものについては、当然に本発明の範囲に含有される。また、図面は、説明をより明確にするため、実施の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【０００９】
（第１実施形態）  
まず、第１実施形態について説明する。図１は、本実施形態に係る電子機器の使用態様の一例を表す図である。
【００１０】
本実施形態に係る電子機器は、例えば当該電子機器と接続される他の機器（第１機器）を操作するために使用される。
【００１１】
図１に示す例では、本実施形態に係る電子機器１０は、例えばパーソナルコンピュータ２０を操作するポインティングデバイス（入力装置）であるマウスとして実現されている。以下、本実施形態に係る電子機器１０は主にマウスであるものとして説明する。
【００１２】
電子機器１０は例えばケーブルを介してパーソナルコンピュータ２０と接続されており、ユーザは、このような電子機器１０を使用することによってパーソナルコンピュータ２０を操作することができる。
【００１３】
なお、図１においては電子機器１０とパーソナルコンピュータ２０とは有線で接続されているが、当該電子機器１０とパーソナルコンピュータ２０とは無線で接続されていてもよい。
【００１４】
ここで、ユーザは、例えばパーソナルコンピュータ２０以外の別の機器（第２機器）としてスマートフォンを所有しているものとする。スマートフォンは、ユーザに対して、例えばメール（メッセージ）の受信及び電話の着信等の当該スマートフォン上で発生したイベント（ユーザに通知すべきイベント）を通知する機能を有する。
【００１５】
ところで、ユーザが電子機器１０を用いてパーソナルコンピュータ２０を操作している場合、ユーザは、スマートフォンを常に確認することはできず、当該スマートフォン上で発生したイベントの通知に気がつかない場合がある。
【００１６】
このため、本実施形態に係る電子機器１０は、ユーザが使用していない機器（ここでは、スマートフォン）上で発生したイベントをユーザに通知する機能を有する。
【００１７】
図２は、本実施形態に係る電子機器１０の構成を示すブロック図である。図２に示すように、電子機器１０は、制御部１１、第１通信部１２、第２通信部１３、マウスセンサ１４、バイブレータ部１５及びディスプレイ１６等を備える。
【００１８】
なお、図２に示すように、電子機器１０は、パーソナルコンピュータ（ＰＣ）２０及びスマートフォン３０と通信可能に接続されている。
【００１９】
制御部１１は、例えばワンチップマイクロコンピュータとして構成された制御回路（プロセッサ）を含み、電子機器１０内の各コンポーネントの動作を制御する。
【００２０】
第１通信部１２は、パーソナルコンピュータ２０との通信を実行するように構成されている。なお、パーソナルコンピュータ２０との通信は、上記したようにケーブル等を介して（つまり、有線で）実行されてもよいし、無線で実行されてもよい。
【００２１】
第２通信部１３は、スマートフォン３０との通信を実行するように構成されている。第２通信部１３は、例えばＢｌｕｅｔｏｏｔｈ（登録商標）、Ｗｉｆｉ（登録商標）及び赤外線等の無線通信機能によりスマートフォン３０との通信を実行するものとする。なお、第２通信部１３は、他の通信方式によりスマートフォン３０との通信を実行してもよい。
【００２２】
ここで、本実施形態においては、上記したようにスマートフォン３０上で特定のイベント（第１イベント）が発生した場合、当該イベントを示す情報（以下、イベント情報と表記）がスマートフォン３０から電子機器１０に対して送信されるものとする。この場合、イベント情報は第２通信部１３によって受信される。
【００２３】
イベント情報が第２通信部１３によって受信された場合、制御部１１は、当該イベント情報に基づいて電子機器１０の動作を制御する。例えば、制御部１１は、電子機器１０の動作を制御し、スマートフォン３０上で特定のイベントが発生した旨の通知と、当該イベント情報によって示される第２イベント（当該イベント情報によって指示された所定の情報）の通知との、少なくとも１つをユーザへ行う。すなわち、電子機器１０は上記動作制御を行う制御手段を備えている。さらに、当該制御手段は上記通知を行う通知手段を含む。なお、イベントをユーザに通知する際の電子機器１０の動作の詳細については後述する。
【００２４】
本実施形態に係る電子機器１０が例えば光学式マウスであるものとすると、マウスセンサ１４は、イメージセンサを備え、当該イメージセンサを用いて電子機器１０（マウス）の移動量を検出する。なお、マウスセンサ１４によって検出された移動量は、第１通信部１２を介してパーソナルコンピュータ２０に送信され、当該パーソナルコンピュータ２０において実行される処理（例えば、パーソナルコンピュータ２０の画面上でのポインタの移動等）に用いられる。なお、電子機器１０が光学式マウスであるものとして説明したが、当該電子機器１０は機械式マウス等であってもよい。
【００２５】
バイブレータ部１５は、例えば重り付きの小型のモータを備え、当該モータを回転させることで振動を発生するように構成されている。
【００２６】
ディスプレイ１６は、例えば液晶ディスプレイ（ＬＣＤ：Liquid Crystal Display）である。なお、ディスプレイ１６としては、例えば有機エレクトロルミネッセンス（ＥＬ：Electro Luminescence）ディスプレイ等の他の表示装置が用いられてもよい。
【００２７】
ここで、本実施形態におけるディスプレイ１６の具体的な配置例について説明する。図３に示すように、電子機器１０（マウス）は、パーソナルコンピュータ２０を操作する（つまり、電子機器１０を使用する）際にユーザによって把持される筐体１０ａを有している。また、上記した図２においては省略されているが、電子機器１０には、筐体１０ａが把持された状態でユーザによって操作可能な操作部１０ｂが設けられている。なお、操作部１０ｂとしては例えばマウスホイール等を想定しているが、他のボタン等であってもよい。
【００２８】
本実施形態において、ディスプレイ１６は、図３に示すように例えば電子機器１０の筐体１０ａの側面に配置されている。また、ディスプレイ１６は、図４に示すように、例えば電子機器１０の筐体１０ａ（表面上）の操作部１０ｂの近傍に配置されていてもよい。
【００２９】
ここでは、ディスプレイ１６が図３及び図４に示す位置に配置されるものとして説明したが、ディスプレイ１６は、ユーザが視認可能な位置であれば、他の位置に配置されていてもよい。
【００３０】
以下、図５のフローチャートを参照して、本実施形態に係る電子機器１０の処理手順の一例について説明する。ここでは、ユーザは電子機器１０を用いてパーソナルコンピュータ２０を使用しているものとする。
【００３１】
ここで、ユーザが使用していないスマートフォン３０上で特定のイベントが発生した場合、当該イベントを示すイベント情報がスマートフォン３０から電子機器１０に送信される。
【００３２】
上記したようにスマートフォン３０から送信されたイベント情報は、第２通信部１３によって受信される（ステップＳ１）。
【００３３】
ステップＳ１の処理が実行されると、制御部１１は、バイブレータ部１５（モータ）を制御することによって電子機器１０に振動を発生させる（ステップＳ２）。すなわち、ステップＳ２の処理によれば、振動が発生するように電子機器１０の動作を制御することによって電子機器１０（筐体１０ａ）を把持しているユーザに当該振動を伝え、スマートフォン３０上でイベントが発生したことをユーザに通知することができる。
【００３４】
ここで、ステップＳ１において受信されたイベント情報によって示されるイベントには、ユーザに通知すべき内容が含まれている場合がある。具体的には、スマートフォン３０上で発生したイベントが例えばメールの受信である場合、当該メールの本文等がユーザに通知すべき内容に相当する。なお、ユーザに通知すべき内容がイベントに含まれている場合、当該ユーザに通知すべき内容（以下、イベント内容と表記）は、ステップＳ１において受信されたイベント情報に含まれているものとする。
【００３５】
このため、制御部１１は、ステップＳ１において受信されたイベント情報に基づいて、ユーザに通知すべき内容があるか否かを判定する（ステップＳ３）。上記したようにイベント情報にイベント内容が含まれている場合、ステップＳ３においてはユーザに通知すべき内容があると判定される。一方、イベント情報にイベント内容が含まれていない場合、ステップＳ３においてはユーザに通知すべき内容がないと判定される。
【００３６】
ユーザに通知すべき内容があると判定された場合（ステップＳ３のＹＥＳ）、制御部１１は、ステップＳ１において受信されたイベント情報（当該イベント情報に含まれるイベント内容）をディスプレイ１６に表示する（ステップＳ４）。
【００３７】
一方、ユーザに通知すべき内容がないと判定された場合（ステップＳ３のＮＯ）、ステップＳ４の処理は実行されず、処理は終了される。
【００３８】
なお、ステップＳ４の処理が実行されない（つまり、ディスプレイ１６にイベント情報が表示されない）場合には、当該ディスプレイ１６は例えばスリープモード（省電力モード）で動作するものとする。また、ステップＳ４においてイベント情報がディスプレイ１６に表示された場合であっても、当該イベント情報が表示された後、一定期間が経過した場合には、ディスプレイ１６はスリープモードに移行する。
【００３９】
上記した図５においてはステップＳ１〜Ｓ４の処理が実行されるものとして説明したが、スマートフォン３０上でイベントが発生したことのみをユーザに通知するのであれば、ステップＳ１及びＳ２の処理が実行され、ステップＳ３及びＳ４の処理は省略されても構わない。また、ステップＳ３及びＳ４の処理が実行されない構成であれば、電子機器１０は、図２示すディスプレイ１６を備えない構成であってもよい。
【００４０】
一方、ステップＳ３においてユーザに通知すべき内容がないと判定された場合には処理が終了されるものとして説明したが、この場合には、例えばスマートフォン３０上でイベントが発生したことのみをディスプレイ１６に表示するようにしてもよい。また、このような構成の場合には、ステップＳ２の処理は省略されてもよい。更に、ステップＳ２の処理が実行されない構成であれば、電子機器１０は、図２に示すバイブレータ部１５を備えない構成であってもよい。
【００４１】
上記したように本実施形態においては、例えばユーザが使用しているパーソナルコンピュータ２０（第１機器）とは異なるスマートフォン３０（第２機器）から当該スマートフォン３０上で発生したイベントを示すイベント情報が受信された場合、当該イベント情報によって示されるイベントをユーザに通知するために電子機器１０（マウス）の動作が制御される。
【００４２】
本実施形態においては、このような構成により、ユーザによって使用されていない機器上で発生したイベントを他の機器を操作するために使用される電子機器１０を介してユーザに通知することが可能となる。
【００４３】
具体的には、本実施形態においては、受信されたイベント情報（イベント内容）をディスプレイ１６に表示する構成により、スマートフォン３０上で発生したイベントをユーザに対して通知することができる。
【００４４】
なお、本実施形態において、ディスプレイ１６は例えば電子機器１０を操作する際にユーザによって把持される筐体１０ａの側面に配置されてもよいし、当該筐体１０ａが把持された状態でユーザによって操作可能な操作部１０ｂ（マウスホイール）の近傍に配置されていてもよい。これらの位置にディスプレイ１６が配置された場合には、例えばユーザが電子機器１０を使用している状態であってもディスプレイ１６に表示される内容を比較的容易に確認することができる。
【００４５】
また、本実施形態においては１つのディスプレイ１６が配置されるものとして説明したが、例えば上記した図３に示す位置及び図４に示す位置のそれぞれにディスプレイ１６が配置される（つまり、筐体１０ａに複数のディスプレイ１６が配置される）構成であっても構わない。このような構成の場合には、受信されたイベント情報によって示されるイベントに応じて異なる内容を複数のディスプレイ１６（第１及び第２ディスプレイ）の各々に表示するようにすることも可能である。
【００４６】
ここで、電子機器１０の筐体１０ａに複数のディスプレイ１６が配置されている場合において、例えば図３に示す位置に配置されたディスプレイ１６を第１ディスプレイ１６、図４に示す位置に配置されたディスプレイ１６を第２ディスプレイ１６と称するものとする。
【００４７】
この場合において、例えばスマートフォン３０上で複数のイベントが発生している場合には、一方のイベントを示すイベント情報が第１ディスプレイ１６に表示され、他方のイベントを示すイベント情報が第２ディスプレイ１６に表示されるようにしてもよい。具体的には、イベントとしてスマートフォン３０上でメールの受信及び電話の着信が発生している場合には、例えば第１ディスプレイ１６にメールの受信を示すイベント情報が表示され、第２ディスプレイ１６に電話の着信を示すイベント情報が表示されるようにすることができる。
【００４８】
また、スマートフォン３０上で１つのイベントのみが発生している場合であっても、当該イベントに応じた異なる内容が第１及び第２ディスプレイ１６に表示されてもよい。具体的には、イベントとしてスマートフォン３０上でメールの受信が発生している場合には、例えば第１ディスプレイ１６にメールの本文が表示され、第２ディスプレイにメールの添付ファイル等が表示されるようにすることができる。なお、例えばメールの本文が第１及び第２ディスプレイ１６の各々に分割して表示されるようにすることも可能である。
【００４９】
また、本実施形態においては、イベント情報が受信された場合にバイブレータ部１５による振動を発生させる構成により、スマートフォン３０上でイベントが発生したことをユーザに対して通知することができる。
【００５０】
更に、本実施形態においては、イベント情報が受信された場合にバイブレータ部１５による振動を発生させ、当該イベント情報によって示されるイベントにユーザに通知すべき内容（例えば、メール本文等）がある場合には、当該内容がディスプレイ１６に表示されるようにしてもよい。このような構成によれば、スマートフォン３０上でイベントが発生したことについてはバイブレータ部１５による振動によって通知し、通知すべき内容がある場合にのみディスプレイ１６を用いることにより、電子機器１０の省電力化を実現することができる。
【００５１】
また、本実施形態において、イベント情報が受信された際の電子機器１０の動作は、当該イベント情報によって示されるイベントの種別に応じて異なるようにしてもよい。具体的には、例えばイベントとしてスマートフォン３０上でメールの受信が発生した場合にはバイブレータ部１５による振動の間隔を短くし、イベントとしてスマートフォン３０上で電話の着信が発生した場合にはバイブレータ部１５による振動の間隔を長くするように電子機器１０の動作を制御してもよい。このような構成によれば、電子機器１０を使用しているユーザは、スマートフォン３０上で発生したイベントの種別を容易に把握することができる。
【００５２】
なお、本実施形態においては、第１機器（例えば、パーソナルコンピュータ２０）を操作するために使用される電子機器１０がマウスであるものとして説明したが、当該電子機器１０は、第１機器を操作するために使用されるものであればよく、例えばジョイスティック、コントローラ、キーボード及び独立式タッチパッド（パーソナルコンピュータ２０に接続して使用されるタッチパッド）等の機器（周辺機器）であってもよいし、他の機器を操作する各種リモコン等であってもよい。
【００５３】
つまり、電子機器１０を用いて操作される第１機器についてもパーソナルコンピュータ２０以外の機器であってもよく、例えばスマートフォンやタブレット端末であってもよいし、ジョイスティック及びコントローラが接続されるゲーム機や、リモコン等で操作されるテレビ等の映像視聴機器、レコーダー及び空調機等であってもよい。
【００５４】
なお、スマートフォンに所定のアプリケーションプログラムをインストールして起動することによって、当該スマートフォンを他の機器を操作するためのリモコン等として使用することができる場合があるが、このような場合には、第１機器を操作するための電子機器１０がスマートフォン等であってもよい。
【００５５】
更に、本実施形態においては、ユーザに通知すべきイベントが発生する第２機器がスマートフォン３０であるものとして説明したが、当該第２機器は、例えばパーソナルコンピュータ及びタブレット端末等であってもよいし、テレビ等の映像視聴機器、レコーダー及び各種ＩｏＴ機器等であってもよい。
【００５６】
また、本実施形態においては、イベントをユーザに通知するための電子機器１０の動作例としてバイブレータ部１５による振動の発生及びディスプレイ１６によるイベント情報の表示について主に説明したが、当該電子機器１０の動作は、イベントが発生したことまたは当該イベントの内容等をユーザが知覚することができるものであればよく、例えばＬＥＤランプの点灯やアラームの出力等であってもよい。
【００５７】
なお、本実施形態においてはイベント情報（イベント内容）としてメールの本文等がディスプレイ１６に表示されるものとして説明したが、電子機器１０は、ユーザの指紋を認証する機能（指紋認証機能）を実現するための指紋センサを備える構成であってもよい。このような構成によれば、例えば指紋センサを用いた指紋認証処理（ユーザ認証処理）が実行された後にイベント情報をディスプレイ１６に表示することができ、ディスプレイ１６に表示される情報に対するセキュリティを強化することができる。なお、指紋センサは、例えばディスプレイ１６に内蔵されていてもよいし、電子機器１０に対して外付けされるものであってもよい。ここでは、指紋認証処理が実行されるものとして説明したが、他の認証処理が実行される構成であっても構わない。
【００５８】
本実施形態においては、スマートフォン３０上で発生するイベントの例としてメールの受信及び電話の着信について主に説明したが、当該イベントはユーザに通知すべきものであれば他のものであってもよい。
【００５９】
また、本実施形態においては、スマートフォン３０（第２機器）上で発生したイベントを電子機器１０を介してユーザに通知するものとして説明したが、例えばパーソナルコンピュータ２０（第１機器）上で発生したイベントが電子機器１０（バイブレータ部１５及びディスプレイ１６）を介してユーザに通知されても構わない。
【００６０】
（第２実施形態）  
次に、第２実施形態について説明する。図６は、本実施形態に係る電子機器１０の構成を示すブロック図である。なお、図６において前述した図２と同様の部分には同一参照符号を付してその詳しい説明を省略する。ここでは、図２と異なる部分について主に述べる。なお、本実施形態に係る電子機器の使用態様については、前述した第１実施形態と同様であるため、適宜、図１を用いて説明する。
【００６１】
図２に示すように、本実施形態に係る電子機器１０は、タッチパネルディスプレイ１７を備える。すなわち、本実施形態は、前述した第１実施形態において説明したディスプレイ１６に代えてタッチパネルディスプレイ１７を備える点で当該第１実施形態とは異なる。
【００６２】
タッチパネルディスプレイ１７は、ユーザの指やペン（スタイラス）等の外部近接物の画面に対する接触及び接触位置に基づくユーザの操作を検出可能なタッチセンサを有する。
【００６３】
タッチパネルディスプレイ１７には、前述したディスプレイ１７と同様に、スマートフォン３０上で発生したイベントを示すイベント情報（イベント内容）が表示される。
【００６４】
なお、タッチパネルディスプレイ１７は電子機器１０の筐体１０ａに配置されるが、当該タッチパネルディスプレイ１７が配置される位置については前述した第１実施形態において説明したディスプレイ１６が配置される位置と同様であるため、その詳しい説明を省略する。
【００６５】
ここで、タッチパネルディスプレイ１７は上記したようにタッチセンサを有しており、当該タッチセンサはユーザの操作を検出することができる。このため、本実施形態において、制御部１１は、タッチセンサによってユーザの操作が検出された場合、当該ユーザの操作に応じてイベントに関する処理の実行をスマートフォン３０に対して指示するものとする。
【００６６】
以下、図７のフローチャートを参照して、本実施形態に係る電子機器１０の処理手順の一例について説明する。
【００６７】
まず、前述した図５に示すステップＳ１〜Ｓ４の処理に相当するステップＳ１１〜Ｓ１４の処理が実行される。
【００６８】
ここで、上記したようにタッチパネルディスプレイ１７においては、タッチセンサによってユーザの操作を検出することができる。なお、タッチセンサによって検出されるユーザの操作には、例えばタッチパネルディスプレイ１７の画面に指またはペンを接触させるタップ（タッチ）操作及び当該タッチパネルディスプレイ１７の画面上で指またはペンをスライドさせるスワイプ操作等が含まれる。
【００６９】
このため、制御部１１は、タッチセンサによってユーザの操作が検出されたか否かを判定する（ステップＳ１５）。
【００７０】
タッチセンサによってユーザの操作が検出されたと判定された場合（ステップＳ１５のＹＥＳ）、制御部１１は、ステップＳ１において受信されたイベント情報によって示されるイベントに関する処理の実行指示を、第２通信部１３を介してスマートフォン３０に送信する（ステップＳ１６）。ステップＳ１６において送信された指示がスマートフォン３０において受信された場合、当該指示に基づく処理がスマートフォン３０において実行される。
【００７１】
ここで、電子機器１０（制御部１１）からスマートフォン３０に指示される内容について具体的に説明する。
【００７２】
例えばスマートフォン３０上で発生したイベントがメールの受信である場合における電子機器１０からスマートフォン３０への指示には、当該メールの返信等が含まれる。この場合、スマートフォン３０においては、例えば予め定められた内容のメールを返信する処理が実行される。
【００７３】
なお、例えばタッチパネルディスプレイ１７上で、予め用意された複数の返信内容の中からユーザにとって所望の返信内容を選択する（つまり、スマートフォン３０において実行される複数の処理の中から所望の処理を選択する）操作を行うことができるような構成としても構わない。この場合には、タッチセンサによって検出されたユーザの操作に応じて選択された内容での返信がスマートフォン３０に対して指示されることにより、ユーザにとって所望の内容で返信することが可能となる。
【００７４】
また、上記したようにタッチセンサは複数種類の操作（例えば、タップ操作及びスワイプ操作等）を検出可能であるため、当該タッチセンサによって検出されたユーザの操作の種類に応じた内容での返信がスマートフォン３０に対して指示される構成とすることも可能である。
【００７５】
次に、例えばスマートフォン３０上で発生したイベントが電話の着信である場合における電子機器１０からスマートフォン３０への指示には、当該着信に対する応答等が含まれる。この場合、スマートフォン３０においては、例えば電話の着信に対して応答する処理が実行される。
【００７６】
ここで、スマートフォン３０上で発生したイベントが電話の着信であり、ユーザが当該着信に対して応答する（つまり、電話に出る）場合、ユーザは、スマートフォン３０の所在を把握する必要があるが、スマートフォン３０がユーザの近傍にない場合には容易にその所在を把握することができない場合がある。このため、例えばタッチパネルディスプレイ１７上で、スマートフォン３０の音量（着信音量）の調整を指示する操作を行うことができるような構成としても構わない。この場合、例えばタッチセンサによって検出されたユーザの操作に応じた着信音量とすることがスマートフォン３０に対して指示されることにより、当該スマートフォン３０の着信音量を大きくすることができる。これによれば、ユーザは、スマートフォン３０の着信音に基づいてスマートフォン３０の所在を把握することができる。
【００７７】
なお、タッチセンサによって検出されたユーザの操作の種類に応じて着信に対する応答または着信音量の調整が指示されても構わない。
【００７８】
また、例えば電子機器１０がマイク及びスピーカー等を備える構成とした場合には、着信の応答が指示されることによって当該電子機器１０を介して他のユーザと通話することができるような構成とすることも可能である。
【００７９】
なお、ステップＳ１３においてユーザに通知すべき内容がないと判定された場合（ステップＳ１３のＮＯ）、ステップＳ１４〜Ｓ１６の処理は実行されず、処理は終了される。
【００８０】
また、ステップＳ１５においてユーザの操作が検出されていないと判定された場合（ステップＳ１５のＮＯ）、ステップＳ１６の処理は実行されず、処理は終了される。
【００８１】
ここで、図７に示す処理ではステップＳ１３においてユーザに通知すべき内容がないと判定された場合に処理が終了されるものとして説明したが、この場合にはステップＳ１５の処理が実行されてもよい。すなわち、タッチパネルディスプレイ１７にイベント情報が表示されない場合であっても、ユーザの操作に応じてイベントに関する処理の実行をスマートフォン３０に指示することが可能であってもよい。
【００８２】
上記したように本実施形態においては、タッチパネルディスプレイ１７が有するタッチセンサによって検出されたユーザの操作に応じて、受信されたイベント情報によって示されるイベントに関する処理の実行をスマートフォン３０（第２機器）に対して指示する構成により、スマートフォン３０を直接操作することなく、当該スマートフォン３０にイベントに関する処理を実行させることが可能となるため、ユーザの利便性を向上させることができる。
【００８３】
また、本実施形態においては、予め定められた複数の処理のうち、タッチセンサによって検出された操作に応じて選択された処理の実行を指示する構成であってもよい。また、本実施形態においては、タッチセンサによって第１操作（例えば、タップ操作）が検出された場合には当該第１操作に応じた第１処理の実行を指示し、当該タッチセンサによって第２操作（例えば、スワイプ操作）が検出された場合には当該第２操作に応じた第２処理の実行を指示する構成であってもよい。このような構成によれば、ユーザの所望の処理の実行をスマートフォン３０に対して指示することが可能となり、ユーザの利便性を更に向上させることができる。
【００８４】
なお、本実施形態においては、例えばタッチパネルディスプレイ１７（タッチセンサ）を用いてパーソナルコンピュータ２０（第１機器）を操作することができるように構成されていてもよい。この場合、タッチパネルディスプレイ１７は例えばタッチパッドのように使用されることが可能である。
【００８５】
また、タッチパネルディスプレイ１７は例えば前述した図３及び図４に示す位置に配置されることができるが、例えば図８に示すように前述した操作部１０ｂの位置にタッチパネルディスプレイ１７が配置されることによって、当該タッチパネルディスプレイ１７を操作部１０ｂ（マウスホイール）の代わりに使用することも可能である。
【００８６】
なお、パーソナルコンピュータ２０を操作するためにタッチパネルディスプレイ１７を使用するか否かについては、例えばタッチパネルディスプレイ１７に対する操作等に応じて適宜変更することができるように構成されていてもよい。
【００８７】
また、タッチパネルディスプレイ１７をユーザが筐体１０ａを把持した状態で当該ユーザの指等が触れる位置に配置した場合には、タッチセンサが当該指等の接触を検出しているか否かによってユーザが電子機器１０を使用しているか否かを判定することができる。これによれば、例えばユーザが電子機器１０を使用していないと判定された場合には、例えば上記した図７の処理が実行されないようにすることが可能である。また、ユーザが電子機器１０を使用していないと判定された場合には、例えばタッチパネルディスプレイ１７がスリープモードで動作するようにしてもよい。
【００８８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８９】
１０…電子機器、２０…パーソナルコンピュータ（第１機器）、３０…スマートフォン（第２機器）、１１…制御部、１２…第１通信部、１３…第２通信部、１４…マウスセンサ、１５…バイブレータ部、１６…ディスプレイ、１７…タッチパネルディスプレイ。
【図１】
2020017066.tif 000003
【図２】
2020017066.tif 000004
【図３】
2020017066.tif 000005
【図４】
2020017066.tif 000006
【図５】
2020017066.tif 000007
【図６】
2020017066.tif 000008
【図７】
2020017066.tif 000009
【図８】
2020017066.tif 000010